(57)【特許請求の範囲】
【請求項１】
カードが分離可能に設けられたカード台紙部と、
前記カード台紙部と分離可能であって荷物に貼付される配送票部とを含むカード付き配送伝票であって、
前記カード台紙部は、前記カードが剥離可能に貼付され、
前記配送票部は、荷物に貼付して荷札の役割をする貼付票と、前記貼付票と分離可能であって受領確認の役割を果たす配達票とを含み、
前記カード台紙部及び前記配送票部の裏面のうち、前記貼付票の裏面のみには、荷物に貼付される粘着剤層が設けられ、
前記粘着剤層には、該粘着剤層を剥離前に保護するセパレート紙が設けられることを特徴とするカード付き配送伝票。
【発明の詳細な説明】
【０００１】
【発明の属する技術分野】
本発明は、会員カード等を送るのに適したカード付き配送伝票に関するものである。
【０００２】
【従来の技術】
従来、「会員カード」は、ＰＥＴカード，プラスチックカード，紙カードなど種々の形態のものが使用されている。この会員カードは、会員に郵送する場合には、封筒内で揺動しない大きさの台紙に形成された切り口に、カードのコーナー部を差し込む形態と、台紙に形成された疑似接着層にカードを貼り合わせる形態とがあった。
【０００３】
一方、「配送伝票」は、少なくとも「貼付票」「配達票」の２片より構成されており、一番下側に配置される帳票の裏面には、荷物に貼付され粘着剤層と、その粘着剤層を保護するセパレータ紙を備えている。
【０００４】
【発明が解決しようとする課題】
近年、通信販売業者や会員クラブ等では、「会員カード」を発行すると共に、荷物（注文された商品、ご案内資料，マニュアル，景品等）を一緒に送る場合が増えている。
【０００５】
しかし、前述した従来の技術では、「会員カード」を送る媒体と、荷物を送る媒体としての「配送伝票」とは、それぞれが単独に用意されていた。
そして、「会員カード」と「配送伝票」に必要な情報（会員Ｎｏ．，名前，住所など）を、別々にプリンタで出力する必要があり、また、プリンタで出力した後に、両者のマッチングを行い、「会員カード」は、荷物の中に入れ、「配送伝票」は、荷物に貼付するという作業を行っていた。
このために、印字作業が２度手間になり、しかも、両者のマッチングミスを起こす可能性があった。
【０００６】
本発明の課題は、カードと配送伝票の印字作業が１度で済み、しかも、両者のマッチングミスのおそれのないカード付き配送伝票を提供することである。
【０００７】
前記課題を解決するために、請求項１の発明は、カードが分離可能に設けられたカード台紙部と、前記カード台紙部と分離可能であって荷物に貼付される配送票部とを含むカード付き配送伝票であって、前記カード台紙部は、前記カードが剥離可能に貼付され、前記配送票部は、荷物に貼付して荷札の役割をする貼付票と、前記貼付票と分離可能であって受領確認の役割を果たす配達票とを含み、前記カード台紙部及び前記配送票部の裏面のうち、前記貼付票の裏面のみには、荷物に貼付される粘着剤層が設けられ、前記粘着剤層には、該粘着剤層を剥離前に保護するセパレート紙が設けられることを特徴とするカード付き配送伝票である。
【００１３】
【発明の実施の形態】
以下、図面などを参照しながら、本発明の実施の形態をあげて、さらに詳しく説明する。
（第１実施形態）
図１は、本発明によるカード付き配送伝票の第１実施形態を示す図である。
このカード付き配送伝票１０は、伝票用紙１１と、粘着剤層１２と、カード１３と、粘着剤層１４と、セパレート紙１５等とを備えている。
伝票用紙１１は、上質紙などによって作製され、中央部のミシン目ａから２つに分離可能なカード台紙部１１ａと配送票部１１ｂとを有している。
【００１４】
カード台紙部１１ａは、カード１３を貼付する台紙部分であり、このカード台紙部１１ａの表面の上方に形成された接着剤層１２が形成されている。この接着剤層１２は、カード１３が剥離可能な接着剤によって形成されている。
カード１３は、ＰＥＴ等を基材とする会員カードなどのカードであり、接着剤層１２に疑似接着され、配送後に、会員等が剥離して使用する。
【００１５】
配送票部１１ｂは、荷物Ｐに貼られる部分であり、さらに、上側右寄りに設けられた配達員が受領印を押印してもらい持ち帰る配達票１１ｂ−１と、荷物Ｐの荷札となる貼付票１１ｂ−２とにミシン目ｂによって、区画されている。配送票部１１ｂは、図１（Ｂ），（Ｃ）に示すように、貼付票１１ｂ−２の裏面に荷物Ｐに貼り付けられる粘着剤層１４と、その粘着剤層１４を剥離前に保護する配送票部１１ｂと同じ大きさのセパレート紙１５とを備えている。なお、粘着剤層１４は、図１（Ｃ）に示すように、配達票１１ｂ−１の部分には形成されていない。
【００１６】
つまり、このカード付き配送伝票１０は、伝票用紙１１が連続用紙の形態を取っており、カード台紙部１１ａの左側及び配送票部１１ｂの右側には、ミシン目ｃ，ｄを介して、マージナル部１１ｃ，１１ｄが連接され、プリンタによって、連続給紙することができる。
【００１７】
図２は、第１実施形態に係るカード付き配送伝票の使用方法を説明する図である。
まず、図１（Ａ）のカード付き配送伝票を、ピントラクタの付いたプリンタにセットして、カード台紙部１１ａ側には、カード１３に会員番号や会員名を、その台紙部１１ａにも必要事項を印字する。また、配送票部１１ｂ側には、配達票１１ｂ−１，貼付票１１ｂ−２に送り先の住所，氏名などを印字する。従って、カード１３及び配送票部１１ｂへの印字作業は、１度で済む。
【００１８】
次に、図２（Ａ）に示すように、ミシン目ａからカード台紙部１１ａと、配送票部１１ｂとが分離され、カード台紙部１１ａは、図２（Ｂ）に示すように、荷物Ｐの中に入れられ、梱包される。
一方、配送票部１１ｂは、セパレータ紙１５を剥離し、図２（Ｃ）に示すように、荷物Ｐの上面に粘着層１４によって貼付される。
カード台紙部１１ａと配送票部１１ｂと、梱包作業時に分離されるので、マッチング作業をする必要がない。
【００１９】
荷物Ｐが配送先に届けられると、図２（Ｄ）に示すように、配達員Ｑは、受領印をもらって、配達票１１ｂ−１をミシン目ｂから分離して持ち帰る。
【００２０】
（第２実施形態）
図３は、本発明によるカード付き配送伝票の第２実施形態を示す図である。
なお、以下に説明する各実施形態では、前述した第１実施形態と同様な機能を果たす部分には、同一の符号を付して、重複する説明を適宜省略する。
第１実施形態では、カード台紙部１１ａと配送票部１１ｂとは、送り方向の左右に配置されていたが、第２実施形態では、カード台紙部２１ａと配送票部２１ｂとは、送り方向の前後に配置されている点で異なる。第２実施形態は、プリンタの給紙幅が狭い場合にも、対応可能となる。
【００２１】
（第３実施形態）
図４は、本発明によるカード付き配送伝票の第３実施形態を示す図である。
第３実施形態では、カード台紙部３１ａに、ミシン目ｅによって、カード部３１ａ−１を分離できるように区画したものである。
この実施形態は、カード部３１ａ−１がカード台紙部３１ａの一部を用いた紙カードであるので、別途ＰＥＴカードや疑似接着層を用意する必要がなく、コストダウンを図ることができる。
【００２２】
（変形形態）
以上説明した実施形態に限定されることなく、種々の変形や変更が可能であって、それらも本発明の均等の範囲内である。
▲１▼  例えば、配達票は、ミシン目によって分離する形態の例で示したが、剥離可能に粘着したシート状のものであってもよい。また、配送システムによっては、配送票部に複数枚の複写票を追加して、インパクトプリンタによって、印字することも可能である。
【００２３】
▲２▼  カードは、はがき（ポストカード）や招待状（インビテーションカード）などサイズの大きいものであってもよい。
▲３▼  カード台紙は、カードを挟むタイプのものであってもよい。
【００２４】
【発明の効果】
以上詳しく説明したように、本発明によれば、カード台紙部と配送票部とが、一体となっているので、プリンタに１度通すだけで情報の出力が行え、また、カード台紙部と配送票部とのマッチングを行う必要がなくなる。
【００２５】
また、カードがカード台紙部に貼付されているので、カード台紙部へのカード差し込み作業を必要としない。
さらに、配送票部は、貼付票と配達票を有するので、荷札と配達確認の機能を有し、１枚で済むので、印字が容易にできる。
【図面の簡単な説明】
【図１】本発明によるカード付き配送伝票の第１実施形態を示す図である。
【図２】第１実施形態に係るカード付き配送伝票の使用方法を説明する図である。
【図３】本発明によるカード付き配送伝票の第２実施形態を示す図である。
【図４】本発明によるカード付き配送伝票の第３実施形態を示す図である。
【符号の説明】
１０，２０，３０  カード付き配送伝票
１１，２１，３１  伝票用紙
１２，２２  粘着剤層
１３  ２３  カード
３２ａ−１  カード部
１４，２４，３４  粘着剤層
１５，２５，３５  セパレート紙
【図１】
0003874480.tif 000002
【図２】
0003874480.tif 000003
【図３】
0003874480.tif 000004
【図４】
0003874480.tif 000005